(57)【要約】      （修正有）【課題】作業現場をモニタリングし、作業者等へ効率面や安全面の懸念がある場合、警報を発生する。【解決手段】環境条件をモニタするためのシステム１０は、作業者１４に装着されるウェアラブルデバイス２０と、作業環境１２に関連付けられた一又は複数の環境条件をモニタし、かつ、一以上の環境条件のモニタリングに基づいて環境サンプリング情報を確定するよう構成された、一以上の環境サンプリングセンサとを含む。このシステム１０は、作業者の所在地情報を確定するよう構成された所在地センサを更に含み、作業者の所在地情報は、作業環境に対する作業者の所在地についての情報を含む。システム１０は、環境サンプリング情報を受信し、所在地センサから所在地情報を受信し、かつ、環境サンプリング情報及び所在地情報に基づいて、一以上の環境条件が作業者への警報の提示を要するものであるか否かを判定するよう構成された、コントローラを含む。【選択図】図１
2018032377.tif 000002
【特許請求の範囲】
【請求項１】
作業環境（１２）に関連付けられた一又は複数の環境条件をモニタするためのシステム（１０）であって、
前記作業環境の中で作業者に装着されるよう、かつ、前記作業環境の中で前記作業者と共に移動するよう構成された、ウェアラブルデバイス（２０）と、
前記ウェアラブルデバイス（２０）に作動可能に関連付けられた一又は複数の環境サンプリングセンサ（２４）であって、各々が、前記作業環境に関連付けられた前記一又は複数の環境条件をモニタし、かつ、前記一又は複数の環境条件の前記モニタリングに基づいて、環境サンプリング情報を確定するよう構成された、一又は複数の環境サンプリングセンサ（２４）と、
前記ウェアラブルデバイス（２０）に作動可能に関連付けられ、かつ、前記作業者の所在地情報であって、前記作業環境（１２）に対する前記作業者の所在地についての情報を含む、前記作業者の所在地情報を確定するよう構成された、所在地センサ（２２）と、
プロセッサを含むコントローラ（２６）であって、前記一又は複数の環境サンプリングセンサ（２４）から前記環境サンプリング情報を受信し、前記所在地センサ（２２）から前記所在地情報を受信し、かつ、前記環境サンプリング情報及び前記所在地情報に基づいて、前記一又は複数の環境条件が前記作業者への警報の提示を要するものであるか否かを判定するよう構成された、コントローラ（２６）とを備える、システム（１０）。
【請求項２】
前記ウェアラブルデバイス（２０）及び前記コントローラ（２６）に作動可能に関連付けられており、前記コントローラ（２６）から出力信号を受信するよう、かつ、前記出力信号に基づいて前記作業者に通知を提示するよう構成された、一又は複数の出力デバイス（２８）を更に備え、
前記コントローラ（２６）は、前記一又は複数の環境条件が前記作業者への前記警報の提示を要するものである場合に、前記出力信号を生成するよう更に構成される、請求項１に記載のシステム。
【請求項３】
前記コントローラ（２６）に作動可能に関連付けられ、かつ、前記作業者からの入力に基づいて入力信号を生成するよう構成された、一又は複数の入力デバイス（３２）を更に備え、
前記コントローラ（２６）が、前記出力信号に応じる前記入力信号を受信するよう更に構成される、請求項２に記載のシステム。
【請求項４】
前記一又は複数の出力デバイス（２８）が、視覚出力デバイス、音声出力デバイス、触覚出力デバイス、及びそれらの任意の組み合わせのうちの少なくとも１つを含み、前記通知が、視覚通知、音声通知、触覚通知、及びそれらの任意の組み合わせのうちの少なくとも１つを含む、請求項２に記載のシステム。
【請求項５】
前記一又は複数の環境サンプリングセンサ（２４）のうちの少なくとも１つが、前記システム（１０）に追加され、前記システム（１０）から取り外されるよう構成されたモジュール式センサである、請求項１から４のいずれか一項に記載のシステム。
【請求項６】
第２所在地情報を確定するよう構成された第２所在地センサと、第２コントローラとに作動可能に関連付けられた第２ウェアラブルデバイス（２０ｂ）であって、前記作業環境（１２）の中で第２作業者に装着され、かつ、前記作業環境の中で前記第２作業者と共に移動するよう構成された、第２ウェアラブルデバイス（２０ｂ）と、
前記ウェアラブルデバイス（２０）及び前記第２ウェアラブルデバイス（２０ｂ）をそれぞれ介して、前記作業者と前記第２作業者との間の通信を提供するよう構成され、かつ、前記ウェアラブルデバイス（２０）と前記第２ウェアラブルデバイス（２０ｂ）の一方に関連付けられた一又は複数の無線トランシーバ（３４）を含む、無線ネットワーク（１３０）とを更に備える、システムであって、
前記コントローラ（２６）が、前記第２所在地情報に基づいて前記第２作業者の所在地を確認するよう更に構成される、請求項１から５のいずれか一項に記載のシステム。
【請求項７】
前記第２ウェアラブルデバイス（２０ｂ）が、一又は複数の第２環境サンプリングセンサ（２４）であって、各々が、前記第２作業者に関連する前記作業環境に関連付けられた一又は複数の第２環境条件をモニタし、かつ、前記一又は複数の環境条件の前記モニタリングに基づいて、第２環境サンプリング情報を確定するよう構成された、一又は複数の第２環境サンプリングセンサ（２４）に、作動可能に更に関連付けられており、
前記コントローラ（２６）が、前記第２環境サンプリング情報及び前記第２所在地情報に基づいて、前記一又は複数の第２環境条件が、前記第２作業者に支援が必要であることを示す支援警報の前記作業者への提示を要するものであるか否かを判定するよう、更に構成される、請求項６に記載のシステム。
【請求項８】
前記ウェアラブルデバイス（２０）に作動可能に関連付けられ、かつ、前記作業者に関連付けられた健康情報を生成するよう構成された、一又は複数のユーザセンサ（３０）を更に備え、
前記コントローラ（２６）は、前記健康情報に基づいて、前記一又は複数の環境条件が前記作業者への前記警報の提示を要するものであるか否かを判定するよう、更に構成される、請求項１から７のいずれか一項に記載のシステム。
【請求項９】
前記ウェアラブルデバイス（２０）に作動可能に関連付けられ、かつ、前記作業者に関連付けられた健康情報を記憶するよう構成された、健康情報データベース（１３４）を更に備え、
前記コントローラ（２６）は、前記健康情報に基づいて、前記一又は複数の環境条件が前記作業者への前記警報の提示を要するものであるか否かを判定するよう、更に構成される、請求項１から８のいずれか一項に記載のシステム。
【請求項１０】
前記一又は複数の環境サンプリングセンサ（２４）が、化学ベースの環境条件を検出するよう構成された化学センサを含み、
前記コントローラ（２６）が、前記化学センサから前記化学ベースの環境条件を受信し、かつ、前記化学ベースの環境条件及び前記所在地情報に基づいて、前記化学ベースの環境条件が前記作業者への前記警報の提示を要するものであるか否かを判定するよう構成される、請求項１から９のいずれか一項に記載のシステム。
【請求項１１】
前記一又は複数の環境サンプリングセンサ（２４）が、電気的環境条件を検出するよう構成された電気センサを含み、
前記コントローラ（２６）が、前記電気センサから前記電気的環境条件を受信し、かつ、前記電気的環境条件及び前記所在地情報に基づいて、前記電気的環境条件が前記作業者への前記警報の提示を要するものであるか否かを判定するよう構成される、請求項１から１０のいずれか一項に記載のシステム。
【請求項１２】
前記一又は複数の環境サンプリングセンサ（２４）が、高温ベースの環境条件を検出するよう構成された温度センサを含み、
前記コントローラ（２６）が、前記温度センサから前記高温ベースの環境条件を受信し、かつ、前記高温ベースの環境条件及び前記所在地情報に基づいて、前記高温ベースの環境条件が前記作業者への前記警報の提示を要するものであるか否かを判定するよう構成される、請求項１から１１のいずれか一項に記載のシステム。
【請求項１３】
前記一又は複数の環境サンプリングセンサ（２４）が、放射線ベースの環境条件を検出するよう構成された放射線センサを含み、
前記コントローラ（２６）が、前記放射線センサから前記放射線ベースの環境条件を受信し、かつ、前記放射線ベースの環境条件及び前記所在地情報に基づいて、前記放射線ベースの環境条件が前記作業者への前記警報の提示を要するものであるか否かを判定するよう構成される、請求項１から１２のいずれか一項に記載のシステム。
【請求項１４】
作業環境（１２）に関連付けられた環境条件をモニタするためのウェアラブルデバイス（２０）であって、
作業者に装着されるよう、かつ、前記作業者と共に移動するよう構成された、装着可能物品と、
前記装着可能物品に作動可能に関連付けられた一又は複数のモジュール式環境サンプリングセンサ（２４）であって、各々が、前記作業環境（１２）に関連付けられた前記一又は複数の環境条件をモニタし、かつ、前記一又は複数の環境条件の前記モニタリングに基づいて、環境サンプリング情報を確定するよう構成された、一又は複数のモジュール式環境サンプリングセンサ（２４）と、
前記装着可能物品に作動可能に付加され、かつ、前記作業者の所在地情報であって、前記作業環境に対する前記作業者の所在地についての情報を含む、前記作業者の所在地情報を確定するよう構成された、所在地センサ（２２）と、
前記装着可能物品に作動可能に関連付けられており、出力信号を受信するよう、かつ、前記出力信号に基づいて前記作業者に通知を提示するよう構成された、一又は複数の出力デバイス（２８）と、
プロセッサを含み、前記モジュール式環境サンプリングセンサ（２４）、前記所在地センサ（２２）、及び、前記一又は複数の出力デバイス（２８）に作動可能に関連付けられたコントローラ（２６）であって、前記一又は複数のモジュール式環境サンプリングセンサ（２４）から前記環境サンプリング情報を受信し、前記所在地センサ（２２）から前記所在地情報を受信し、前記環境サンプリング情報及び前記所在地情報に基づいて、前記一又は複数の環境条件が前記作業者への警報の提示を要するものであるか否かを判定し、かつ、前記一又は複数の環境条件が前記作業者への前記警報の提示を要するものである場合に、前記一又は複数の出力デバイス（２８）に前記出力信号を提供するよう構成された、コントローラ（２６）とを備える、ウェアラブルデバイス（２０）。
【請求項１５】
作業環境（１２）の中の作業者に関連する、前記作業環境に関連付けられた環境条件をモニタするための方法であって、
一又は複数の環境サンプリングセンサ（２４）であって、各々が、前記作業環境（１２）の中で前記作業者に装着されるよう構成されたウェアラブルデバイス（２０）に作動可能に関連付けられている、一又は複数の環境サンプリングセンサ（２４）を使用して、一又は複数の前記環境条件をモニタすることと、
前記一又は複数の環境サンプリングセンサ（２４）を使用する前記一又は複数の環境条件の前記モニタリングに基づいて、環境サンプリング情報を確定することと、
前記ウェアラブルデバイス（２０）に作動可能に関連付けられた所在地センサ（２２）を使用して、前記作業者の所在地情報であって、前記作業環境（１２）に対する前記作業者の所在地についての情報を含む、所在地情報を確定することと、
プロセッサを有するコントローラ（２６）によって、前記環境サンプリングセンサ（２４）から前記環境サンプリング情報を受信することと、
前記コントローラ（２６）によって、前記所在地センサ（２２）から前記所在地情報を受信することと、
前記コントローラ（２６）によって、前記環境サンプリング情報及び前記所在地情報に基づいて、前記一又は複数の環境条件が前記作業者への警報の提示を要するものであるか否かを判定することと、
前記一又は複数の環境条件が前記作業者への前記警報の提示を要するものである場合に、前記作業者に前記警報を提供することとを含む、方法。
【請求項１６】
一又は複数の第２環境サンプリングセンサであって、各々が、前記作業環境（１２）の中で第２作業者に装着されるよう構成された第２ウェアラブルデバイス（２０ｂ）に作動可能に関連付けられている、一又は複数の第２環境サンプリングセンサを使用して、前記第２作業者に関連する一又は複数の第２環境条件をモニタすることと、
前記一又は複数の第２環境サンプリングセンサ（２４）を使用する前記一又は複数の第２環境条件の前記モニタリングに基づいて、第２環境サンプリング情報を確定することと、
前記第２ウェアラブルデバイス（２０ｂ）に作動可能に関連付けられた第２所在地センサ（２２）を使用して、前記第２作業者の第２所在地情報であって、前記作業環境（１２）に対する前記第２作業者の所在地についての情報を含む、第２所在地情報を確定することと、
前記コントローラ（２６）によって、前記第２環境サンプリング情報及び前記第２所在地情報に基づいて、前記一又は複数の第２環境条件が、前記第２作業者に支援が必要であることを示す支援警報の前記作業者への提示を要するものであるか否かを判定することと、
前記一又は複数の第２環境条件が前記作業者への前記支援警報の提示を要するものである場合に、前記作業者に前記支援警報を提示することとを更に含む、請求項１５に記載の方法。
【発明の詳細な説明】
【技術分野】
【０００１】
本開示は概して、作業現場のモニタリングに関し、より具体的には、作業現場に関連付けられた環境条件の、場所ベースのモニタリングのためのシステム、方法、及び装置に関する。
【背景技術】
【０００２】
作業環境は、多くの場合、同時に発生する多種多様な活動を含み、これらの活動により、各人が望ましくない条件に曝露されることがある。かかる作業環境（例えば製造環境）は、同一の作業環境において、数ある中でも特に、複数の複雑な工程、この環境内に存在する作業者及び／又は傍観者、この環境の中の設備、この環境の中の製品、及びこの環境の中のプロセスが、同時に存在することにより、上記の条件をモニタする上での独自の課題を提示しうる。数ある中でも特に、気候、地形、通風状態、化学物質及び物質の存在といった、追加的な環境要因も、作業環境の条件を変化させ、追加的な課題をもたらしうる。
【０００３】
作業環境のこのような環境要因は、環境、その環境内の物質、及び作業者自身に対して、様々な影響を及ぼしうる。効率面及び／又は安全面への懸念から、かかる環境条件を効果的にモニタすることが望ましい。これらの環境条件は、作業環境の中の一又は複数の作業者に関連するからである。
【発明の概要】
【０００４】
一例により、作業環境に関連付けられた一又は複数の環境条件をモニタするためのシステムが開示される。このシステムは、作業環境の中で作業者に装着されるよう、かつ、作業環境の中で作業者と共に移動するよう構成された、ウェアラブルデバイスを含む。システムは、ウェアラブルデバイスに作動可能に関連付けられた一又は複数の環境サンプリングセンサであって、各々が、作業環境に関連付けられた一又は複数の環境条件をモニタし、かつ、一又は複数の環境条件のモニタリングに基づいて、環境サンプリング情報を確定するよう構成された、環境サンプリングセンサを更に含む。システムは、ウェアラブルデバイスに作動可能に関連付けられ、かつ、作業者の所在地（ｐｏｓｉｔｉｏｎｉｎｇ）情報を確定するよう構成された、所在地センサを更に含み、作業者の所在地情報は、作業環境に対する作業者の所在地についての情報を含む。システムは、プロセッサを含むコントローラを更に含む。このコントローラは、一又は複数の環境サンプリングセンサから環境サンプリング情報を受信し、所在地センサから所在地情報を受信し、かつ、環境サンプリング情報及び所在地情報に基づいて、一又は複数の環境条件が作業者への警報の提示を要するものであるか否かを判定するよう、構成される。
【０００５】
別の例により、作業環境に関連付けられた環境条件をモニタするためのウェアラブルデバイスが開示される。このウェアラブルデバイスは、作業者に装着されるよう、かつ、作業者と共に移動するよう構成された、装着可能物品を含む。ウェアラブルデバイスは、装着可能物品に作動可能に関連付けられた一又は複数のモジュール式環境サンプリングセンサであって、各々が、作業環境に関連付けられた一又は複数の環境条件をモニタし、かつ、一又は複数の環境条件のモニタリングに基づいて、環境サンプリング情報を確定するよう構成された、モジュール式環境サンプリングセンサを更に含む。ウェアラブルデバイスは、装着可能物品に作動可能に付加され、かつ、作業者の所在地情報を確定するよう構成された、所在地センサを更に含み、作業者の所在地情報は、作業環境に対する作業者の所在地についての情報を含む。ウェアラブルデバイスは、装着可能物品に作動可能に関連付けられ、かつ、出力信号を受信するよう、また、この出力信号に基づいて作業者に通知を提示するよう構成された、一又は複数の出力デバイスを更に含む。ウェアラブルデバイスはコントローラを更に含み、このコントローラは、プロセッサを含み、かつ、モジュール式環境サンプリングセンサ、所在地センサ、及び一又は複数の出力デバイスに、作動可能に関連付けられる。コントローラは、一又は複数の環境サンプリングセンサから環境サンプリング情報を受信し、所在地センサから所在地情報を受信し、環境サンプリング情報及び所在地情報に基づいて、一又は複数の環境条件が作業者への警報の提示を要するものであるか否かを判定し、かつ、一又は複数の環境条件が作業者への警報の提示を要するものである場合に、一又は複数の出力デバイスに出力信号を提供するよう、構成される。
【０００６】
更に別の例により、作業環境の中の作業者に関連する、作業環境に関連付けられた環境条件をモニタするための方法が開示される。この方法は、一又は複数の環境サンプリングセンサであって、各々が、作業環境の中で作業者に装着されるよう構成されたウェアラブルデバイスに作動可能に関連付けられている、環境サンプリングセンサを使用して、一又は複数の環境条件をモニタすることを含む。方法は、一又は複数の環境サンプリングセンサを使用する一又は複数の環境条件のモニタリングに基づいて、環境サンプリング情報を確定することを更に含む。方法は、ウェアラブルデバイスに作動可能に関連付けられた所在地センサを使用して、作業者の所在地情報を確定することを更に含み、この所在地情報は、作業環境に対する作業者の所在地についての情報を含む。方法は、プロセッサを有するコントローラによって、環境サンプリングセンサから環境サンプリング情報を受信することと、所在地センサから所在地情報を受信することとを、更に含む。方法は、コントローラによって、環境サンプリング情報及び所在地情報に基づいて、一又は複数の環境条件が作業者への警報の提示を要するものであるか否かを判定することと、一又は複数の環境条件が作業者への警報の提示を要するものである場合に、作業者に警報を提供することとを、更に含む。
【０００７】
上記の態様及び特徴、並びにその他の態様及び特徴は、添付図面と併せて以下の詳細説明を読むことで、より容易に明らかになろう。加えて、特定の例に関連して様々な特徴が開示されているが、これらの様々な特徴は、本開示の範囲から逸脱することなく、様々な例のうち任意のもので、互いに組み合わされうるか、又は単独で使用されうることが、理解されよう。
【図面の簡単な説明】
【０００８】
【図１】本開示による、作業環境に関連付けられた一又は複数の環境条件をモニタするためのシステムの概略図である。
【図２】図１及び本開示による、図１のシステムによって使用されるウェアラブルデバイスの要素、又は、かかるウェアラブルデバイスに関連付けられた要素を示す、概略ブロック図である。
【図３】本開示による、ウェアラブルデバイスとして使用されるリストバンドの図である。
【図４】本開示による、ウェアラブルデバイスとして使用されるベルトの図である。
【図５】本開示による、ウェアラブルデバイスとして使用されるモジュール式スリーブの図である
【図６】本開示による、ウェアラブルデバイスとして使用されるかぶり物の図である。
【図７】本開示による、作業環境に関連付けられた一又は複数の環境条件であって、作業環境に複数の作業者がいる環境条件をモニタするためのシステムの概略図である。
【図８】本開示による、作業環境の中の作業者に関連する、作業環境に関連付けられた環境条件をモニタするための方法の、例示的なフロー図である。
【図９】本開示の例示的なシステム及び方法を提供するための指令を実行しうる、例示的なコンピュータの概略図である。
【発明を実施するための形態】
【０００９】
本開示は様々な変形例及び代替構造を許容しうるが、そのある種の具体例について、下記で詳細に示し、説明する。本開示は、開示されている特定の例に限定されるのではなく、かかる例の変形例、代替構造、及び均等物の全てを含む。
【００１０】
これより、添付図面に示す特定の例又は特徴に、詳細に言及していく。概括的に、同一部品又は相当部品を参照するために、対応する参照番号が図面全体を通じて使用される。
【００１１】
図１は、作業者１４に関する、作業環境１２の環境条件をモニタするための例示的なシステム１０を示している。作業者１４は、本書の定義では、あらゆる役割の（例えば、作業、製造、管理、監視、報告、モニタリング、休憩、或いは、それ以外の任意の能動的活動又は受動的活動を行っている）作業環境１２の中の任意の人間である。本書の定義では、「作業者に関する環境条件」は、作業環境１２の中の任意の条件又は出来事であって、何らかの様態で作業者１４に影響を与えうる条件又は出来事であってよく、健康関連条件、安全関連条件、近接度関連条件、又は他の任意の条件でありうる。非限定的な一例では、環境条件は、機械１６の作動、又は機械１６の点検中の作動によって生成される電気的フィードバックを含む。環境条件の別の例は、可動式の作業用機械１８への作業者１４の近接度である。更に、一部の例では、ユーザに関する環境条件は、作業者１４の健康に影響を与えうる環境要因を含む。
【００１２】
作業環境１２におけるかかる環境条件のモニタリングに関与するために、システム１０はウェアラブルデバイス２０を含む。ウェアラブルデバイス２０は、人間の作業者１４が作業環境１２の中にいる時に、その作業者１４に装着されるよう構成される。ウェアラブルデバイス２０は、作業者１４に、作業環境１２の中で任意の能動的タスク又は受動的タスクを実施する時に装着されるものであることから、ウェアラブルデバイス２０の所在地は、作業環境１２における作業者１４の所在地に関連付けられる。ウェアラブルデバイス２０は、より詳細に後述するように、様々な装着可能物品（装身具、ブレスレット、かぶり物、装備品、アイウエア、機能性衣類など）の形態をとりうるか、又は、かかる装着可能物品に付加されうる。加えて、一部の例では、ウェアラブルデバイス２０は、より詳細に後述するように、有線又は無線の任意の手段を介して、システム１０のその他の要素と通信するよう構成され、かつ／又は、そのように構成可能である。
【００１３】
図１の参照を続けつつ図２を見るに、ウェアラブルデバイス２０の概略図が示されている。図２の要素は、一部の例においてウェアラブルデバイス２０に概略的に包含されるものとして図示されているが、ウェアラブルデバイス２０のこの概略図における一部の要素は、ウェアラブルデバイス２０上に物理的に配置されるわけでも、ウェアラブルデバイス２０の一部として実装されるわけでもなく、ウェアラブルデバイス２０及び／又はウェアラブルデバイス２０を使用している作業者１４に、作動可能に関連付けられる。そのため、図２のウェアラブルデバイス２０の概略図は、ウェアラブルデバイス２０の要素、又はウェアラブルデバイス２０に関連付けられた要素であって、システムを具現化するため、及び、本開示の方法を実施するために、共に使用される要素を示すことを、目的としている。
【００１４】
ウェアラブルデバイス２０は、少なくとも、所在地センサ（複数可）２２と、環境サンプリングセンサ（複数可）２４と、コントローラ２６と、出力デバイス（複数可）２８とを含む。一部の例では、ウェアラブルデバイス２０は、ユーザセンサ（複数可）３０、入力デバイス（複数可）３２、無線トランシーバ（複数可）３４、及びメモリ３６のうちの一又は複数を含む。ウェアラブルデバイス２０の要素を利用することによって、システム１０は、一又は複数の環境条件の存在、及び作業者１４の所在地を、確認することが可能になる。一部の例では、前記情報を使用することによって、システム１０は、一又は複数の環境条件のうちの少なくとも１つが存在し、かつ、この一又は複数の環境条件に応じて作業者１４に警報を発することが必要とみなされる場合に、出力信号を生成する。
【００１５】
環境サンプリングセンサ２４は、ウェアラブルデバイス２０に作動可能に関連付けられる。環境サンプリングセンサ２４は、システム１０の必要に基づいてシステム１０に追加され、システム１０から取り外されるよう構成された、一又は複数のモジュール式センサ（例えば「挿抜（ｐｌｕｇ−ａｎｄ−ｐｌａｙ）」型センサ）を含む。環境サンプリングセンサ２４にモジュール式センサを利用することで、システム１０によって実施される環境条件モニタリングのカスタマイズ可能性が許容されうる。追加的又は代替的には、環境サンプリングセンサ２４が、ウェアラブルデバイス２０に恒久的に付加された一又は複数のセンサを含んでよく、かつ／又は、環境サンプリングセンサ２４のうちの一又は複数は、ウェアラブルデバイス２０に付加されないが、作業環境１２内に作業者がいる際にウェアラブルデバイス２０と通信しうる。更に、一部の例では、環境サンプリングセンサ２４のうちの一又は複数は、「モノのインターネット（Ｉｎｔｅｒｎｅｔ  ｏｆ  Ｔｈｉｎｇｓ：ＩｏＴ）」センサに分類されるセンサでありうる。
【００１６】
環境サンプリングセンサ２４の各々は、作業環境１２に関連付けられた一又は複数の環境条件をモニタし、かつ、一又は複数の環境条件のかかるモニタリングに基づいて、環境サンプリング情報を確定するよう、構成される。環境サンプリングセンサは、個別に、協働して、又はその両方で、作動しうる。例えば、環境サンプリングセンサ２４の温度センサ３８が温度関連の（例えば高温べ―ス又は低温べ―スの）環境条件（例えば作業者１４に近接した高温又は低温）をモニタしてよく、前記条件は、作業者１４への警報の提示を要する、作業環境１２の中の温度関連環境状態（例えば、作業環境１２の中の作業者１４及び／又は設備を害しうる、作業環境１２の中の過度の高温又は低温）を表示しうる。
【００１７】
一部の例では、環境サンプリングセンサ２４は、追加的又は代替的に、作業環境の中の化学物質、及び化学物質に関連する条件を、作業者１４への警報の提示を要する化学べ―スの環境条件（例えば、その環境における平方インチあたりの過剰な化学物質、大気中又は地中の過剰なレベルの化学物質、酸素の欠乏、一酸化炭素の存在、二酸化炭素の超過、又は、作業環境１２における他の任意の化学的条件）として検出するよう構成されている、化学センサ（複数可）４０も含みうる。
【００１８】
上述の環境サンプリングセンサに加えて、又はそれらに代えて、他の例示的な環境サンプリングセンサ２４が、電気センサ４２、放射線センサ４４、生体センサ４６、及び／又は、他の任意のセンサ４８を含むが、それらに限定されるわけではない。電気センサ４２は、作業環境１２の中の電気的条件（例えば電場、電流など）の存在を確認するよう構成される。したがって、電気センサ４２は、作業環境の中の電流／電場、並びに、作業者１４への警報の提示を要する、電気に関連する条件及び電気べ―スの環境条件（例えば、ある環境における電流又は電場の増大、電気的特性の増強を引き起こす露出した電気配線の存在など）を検出するよう、構成される。一例では、作業環境１２の機械１６が、作業者１４がいる時には望ましくない、大電流を発生させうる。かかる例では、電気センサ４２が、作業環境１２又はその部分における過剰な電流を検出し、作業者１４に、機械１６から距離を保つよう警告しうる。
【００１９】
追加的又は代替的には、環境サンプリング２４は、放射線及び／又は放射性物質の存在を確認し、かつ、放射線及び／又は放射性物質に関連付けられた条件を評価するよう構成されている、放射線センサ４４を含みうる。したがって、放射線センサ４４は、作業者１４に関して、ユーザに対する当面の放射線の存在と、累積的な放射線の存在の一方又は両方を確認する。作業者１４に関して、当面の放射線の存在又は累積的な放射線の存在のいずれかが許容不可なレベルになると、次いで、かかる存在は、作業者１４への警報の提示を要する放射線ベースの環境条件となる。
【００２０】
作業者１４に関連付けられた所在地情報を確定するために、システム１０は、所在地センサ（複数可）２２を含む。所在地センサ２２は、関連作業環境１２に対する作業者１４の位置を感知する。所在地センサ２２は、作業環境１２の中の、作業者１４の位置を示し、かつ／又は、作業者１４の動作の特徴を確定するために、協働してコントローラ２６に信号を提供する、一又は複数の個別のセンサを含む。一部の例では、所在地センサ（複数可）２２は、作業環境１２に対する作業者１４の所在地を検出するための、一又は複数の全地球測位システム（ＧＰＳ）センサ５０を含む。一部の例では、所在地センサ２２は、加速度計５２と歩数計５４の一方又は両方を含む。言うまでもなく、作業環境１２に対する作業者１４の所在地の検出を支援する他の要素も含まれうる。
【００２１】
作業者１４、特に作業者１４の健康に関連付けられた情報を収集するために、システム１０は、一部の例では、ユーザセンサ３０を含む。ユーザセンサ３０は、作業者１４に関連付けられた健康情報など（ただしそれに限定されるわけではない）の、作業者１４に直接関連付けられた条件をモニタするように構成された、任意のセンサである。そのため、ユーザセンサ３０は、作業者１４に関連付けられた健康情報を生成するよう構成される。
【００２２】
本書で提示されている非限定的な例では、ユーザセンサ３０は、数ある中でも特に、心拍モニタ５６、皮膚電気反応センサ（ＧＳＲ）５８、及び睡眠モニタ６０を含む。かかるユーザセンサ３０は全て、作業者１４に関連付けられた健康条件（数ある中でも特に、心拍モニタ５６からの心拍情報、ＧＳＲセンサ５８からの皮膚電位、睡眠モニタ６０からの睡眠持続時間データ及び／又は睡眠品質データなど）を示すデータを捕捉するよう、構成される。言うまでもなく、ユーザセンサ３０によって収集される健康情報は、作業者１４の体温情報、作業者１４の血中アルコール濃度（ＢＡＣ）情報、作業者１４の血圧、及び、作業者１４に関連付けられた他の任意の健康条件を含むことが可能である。
【００２３】
プロセッサ２７を含むコントローラ２６は、少なくとも、環境サンプリングセンサ２４によって確定された環境サンプリング情報、及び、所在地センサ２２によって確定された所在地情報を、信号として受信する。オプションで、一部の例では、コントローラ２６は、ユーザセンサ３０によって確定された健康情報を受信するか、又は、健康情報データベースに記憶された健康情報を受信する。環境サンプリング情報、所在地情報、及びオプションの健康情報に基づいて、コントローラ２６は、一又は複数の環境条件が、例えば出力デバイス（複数可）２８を介する、ユーザへの警報の提示を要するものであるか否かを判定する。例えば、コントローラ２６によって受信された環境サンプリング情報は、作業者１４が身体に高レベルの電流を受けていることを示すことがあるが、この環境条件と共に提供される所在地情報に基づいて、コントローラ２６は、その作業者１４が機械１６に接近しすぎていると判定する。したがって、コントローラ２６は、この環境条件が作業者１４についての警報を要するものであると判定する。一部の例では、環境条件についての警報を作業者２４に提供するために、コントローラ２６によって、出力デバイス２８に出力信号が提供される（例えば前記電流の場合、コントローラが、例としては、作業者１４が機械１６に接近しすぎていることを示す。）。一部の例では、出力デバイス（複数可）２８が警報を発すると、コントローラ２６は、作業者１４が警報を受信したこと及び／又はその警報にこたえたことを示す、入力デバイス（複数可）３２からの、出力信号に応じる入力信号を受信する。
【００２４】
コントローラ２６は、作動を実施し、制御アルゴリズムを実行し、データを記憶し、データを読み出し、データを収集し、かつ／又は、他の任意の望ましい演算タスク又は制御タスクを実施するプロセッサ（例えばプロセッサ２７）を含む、任意の電子コントローラ又は演算システムである。コントローラ２６は、単一のコントローラでありうるか、又は、システム１０の様々な機能及び／又は特徴を制御するよう配置された、１を上回る数のコントローラを含みうる。コントローラ２６の機能は、ハードウェア及び／又はソフトウェアにおいて実装されてよく、システム１０の機能に関連する一又は複数のデータマップに依存しうる。そのためには、コントローラ２６は、内部メモリ３６を含んでよく、かつ／またさもなければ、有線又は無線の任意のネットワークを介して、データベース又はサーバなどの外部メモリに接続されうる。メモリ３６は、読み取り専用メモリ（ＲＯＭ）、ランダムアクセスメモリ（ＲＡＭ）、ポータブルメモリなどのうちの一又は複数を含みうるが、それらを含むものに限定されるわけではない。かかるメモリ媒体は、非一時的メモリ媒体の例である。
【００２５】
コントローラ２６は、作業者１４の居場所を、所在地データと、オプションで前記居場所のデータのタイムスタンピングとを使用して、登録することが可能である。コントローラ２６は、一部の例では、現行のタスクにしたがって作業者１４を登録することもできる。更に、コントローラ２６は、一部の例では、タスクのために作業者１４を認証する機能、作業者１４が作業環境１２にいる時間又はいない時間、或いは、タスクを行っている時間又は行っていない時間を、計時する機能、作業者１４のトレーニング記録をチェックする機能、及び／又は、作業環境１２においてタスクを実施する、作業者の適格性を認定する機能のうちの、一又は複数を実施するよう構成される。かかる例では、上記のタスクは、メモリ３６と通信可能なコントローラ２６で実施されるか、若しくは、ネットワークを介してコントローラ２６と通信可能な、一又は複数の他のコントローラ、データベース、サーバなどとともに、コントローラ２６によって実施される。
【００２６】
上述のように、一部の例では、一又は複数の環境条件がモニタされ、かつ、コントローラ２６が、前記条件（複数可）は作業者１４への警報の提示を要するものであると判定すると、この警報が、一又は複数の出力デバイス２８を介して作業者１４に提示される。出力デバイス２８は、音声出力デバイス６２、視覚出力デバイス６４、触覚出力デバイス６６、又はそれらの組み合わせのうちの、一又は複数を含む。音声出力デバイス６２は、例えばスピーカーなどの、作業者１４に可聴信号を提供することが可能な任意の音声デバイスである。かかる可聴信号は、コントローラ２６からの出力信号に応じて、作業者１４に警告するよう構成された、任意の振幅の任意の可聴ノイズでありうる。視覚出力デバイス６４は、コントローラ２６からの出力信号に応じて、任意の形態の視覚的刺激を作業者１４に提供するよう構成されうる、任意の光、スクリーン、又は視覚デバイスである。
【００２７】
更に、触覚出力デバイス６６は、オペレータ警報信号に応じて、一又は複数の振動を介して作業者１４に警告するよう構成された、任意の振動デバイス及び／又は触感デバイスである。触覚出力デバイス６６は、触覚出力デバイス６６が、ウェアラブルデバイス２０を介して作業者１４に振動警報を提供するように、ウェアラブルデバイス２０に埋め込まれる。言うまでもなく、追加的又は代替的には、触覚出力デバイス６６は、このデバイスからの振動信号が作業者１４に届く場所であれば、作業環境１２の中のどこにでも配置されうる。加えて、触覚出力デバイス６６の出力は、任意の振動パターン、振動レベルの増減、リズミカルな振動、或いは、一又は複数の環境条件を示す他の任意の通知用振動でありうる。
【００２８】
システム１０の一部の例では、作業者１４が出力デバイス（複数可）２８によって提供される通知に応じることが望ましい。かかる例では、システム１０は、通知信号を作業者１４が認識したことに応じる、作業者１４からの入力信号を生成するよう構成された、一又は複数の入力デバイス３２を更に含みうる。例えば、音響出力デバイス６２は、ユーザに「停止せよ」と告げる可聴信号を発生させてよく、それに応じて、マイク６８などの入力デバイス３２が、作業者１４が停止したことを裏付ける、その作業者が話した言葉から、入力信号を生成する（例えば、作業者１４が、音響出力デバイス６２からの「停止せよ」に、「オーケー」と応じる）。一部の例では、入力デバイス３２は、他にもある使用可能な入力デバイスの中でも特に、マイク６８、タッチスクリーン７０、及び触覚入力センサ７２のうちの一又は複数を含む。
【００２９】
上述のように、ウェアラブルデバイス２０は、様々な装着可能物品の形態をとりうるか、又は、様々な装着可能物品に付加されうる。かかる装着可能物品の例について、図３〜図６に示し、かつ、より詳細に後述する。図３〜図６の例は、４つの異なる装着可能物品のための例を示しているが、本開示のシステム及び方法を、ウェアラブルデバイス２０を実装することが可能な任意の装着可能物品の利用によって実現することも、もちろん可能である。
【００３０】
初めに図３を参照するに、リストバンド８０が図示されており、この図では、リストバンド８０が、ウェアラブルデバイス２０を包含し、収納し、包み込み、またさもなければ、ウェアラブルデバイス２０に機能的に関連付けられるよう、実装されている。ウェアラブルデバイス２０は、リストバンド８０に装着され、取り付けられ、包含され、またさもなければ付加される。図示しているように、リストバンド８０は、作業者１４の手首８２、又は腕８４の他の部分に、作業者１４によって装着されるよう構成される。
【００３１】
したがって、リストバンド８０は、そのリストバンド８０を装着している作業者１４の所在地を正確に追跡するために、ウェアラブルデバイス２０の位置センサ（複数可）２２に作動可能に関連付けられる。加えて、リストバンド８０は、一又は複数の環境サンプリングセンサ２４に作動可能に関連付けられる。環境サンプリングセンサ２４は、モジュール式センサ８６を含みうる。一部の例では、モジュール式センサ８６は、モジュール式センサポート８８に挿抜されて、環境サンプリングセンサ２４の「挿抜」態様を可能にする。加えて、ウェアラブルデバイス２０の出力デバイス（複数可）２８は、リストバンド８０に作動可能に関連付けられ、かつ、例えば視覚出力デバイス６４及び音響出力デバイス６２を含む。
【００３２】
ここで図４を参照するに、ベルト１００が図示されており、この図では、ベルト１００が、ウェアラブルデバイス２０を包含し、収納し、包み込み、またさもなければ、ウェアラブルデバイス２０に機能的に関連付けられるよう、実装されている。ウェアラブルデバイス２０は、ベルトに装着され、取り付けられ、包含され、またさもなければ付加される。図示しているように、ベルト１００は、作業者１４の中央部位１０２（例えば腰、ウエスト、胸、又はそれらの任意の部分）に装着されるよう構成される。一部の例では、ベルト１００は、作業者１４に装着されるズボン１０４と共に装着され、オプションで、ベルトループ１０６によって支持される。
【００３３】
ベルト１００を装着している作業者１４の所在地を追跡するために、ベルト１００は、ウェアラブルデバイス２０の位置センサ（複数可）２２に作動可能に関連付けられる。加えて、ベルト１００は、一又は複数の環境サンプリングセンサ２４に作動可能に関連付けられる。一部の例では、環境サンプリングセンサ２４はモジュール式センサ８６を含む。一部の例では、モジュール式センサ８６は、モジュール式センサポート８８に挿抜されて、環境サンプリングセンサ２４の「挿抜」態様を可能にする。加えて、ウェアラブルデバイス２０の出力デバイス（複数可）２８は、リストバンド８０に作動可能に関連付けられ、かつ、例えば視覚出力デバイス６４及び音響出力デバイス６２を含む。
【００３４】
図５は、ウェアラブルデバイス２０と共に、又はウェアラブルデバイス２０として使用される、装着可能物品の更に別の例を示しており、この図には、モジュール式スリーブ１１０が図示されている。モジュール式スリーブ１１０は、ウェアラブルデバイス２０を包含し、収納し、包み込み、またさもなければ、ウェアラブルデバイス２０に機能的に関連付けられるよう、実装されている。一部の例では、ウェアラブルデバイス２０は、モジュール式スリーブ１１０に装着され、取り付けられ、包含され、またさもなければ付加される。図示しているように、モジュール式スリーブ１１０は、作業者１４の腕８４に、作業者１４によって装着されるよう構成される。モジュール式スリーブ１１０は、腕８４のサイズ、及び／又は腕８４の動きの変化に応じて、拡張又は縮小するよう構成される。
【００３５】
したがって、モジュール式スリーブ１１０は、そのモジュール式スリーブ１１０を装着している作業者１４の所在地を正確に追跡するために、ウェアラブルデバイス２０の位置センサ（複数可）２２に作動可能に関連付けられる。加えて、モジュール式スリーブ１１０は、一又は複数の環境サンプリングセンサ２４（図示せず）に作動可能に関連付けられる。更に、ウェアラブルデバイス２０の出力デバイス（複数可）２８は、モジュール式スリーブ１１０に作動可能に関連付けられ、かつ、例えば視覚出力デバイス６４を含む。モジュール式スリーブ１１０は、タッチスクリーン１１２などの入力デバイス（複数可）３２を含みうる。タッチスクリーン１１２は、視覚出力デバイス６４などの出力デバイス（複数可）２８を介して提示された警報に応じかつ／又はこたえるために、使用される。
【００３６】
図６には、ヘルメット、安全帽、又は他の任意のかぶり物といったかぶり物１２０が図示されており、この図では、かぶり物１２０が、ウェアラブルデバイス２０を包含し、収納し、包み込み、またさもなければ、ウェアラブルデバイス２０に機能的に関連付けられるよう、実装されている。ウェアラブルデバイス２０は、かぶり物１２０に装着され、取り付けられ、包含され、またさもなければ付加される。図示しているように、かぶり物１２０は、作業者１４の頭部１２２に、作業者１４によって装着されるよう構成される。
【００３７】
したがって、かぶり物１２０は、そのかぶり物１２０を装着している作業者１４の所在地を正確に追跡するために、ウェアラブルデバイス２０の位置センサ（複数可）２２に作動可能に関連付けられる。加えて、かぶり物１２０は、一又は複数の環境サンプリングセンサ２４に作動可能に関連付けられる。一部の例では、環境サンプリングセンサ２４はモジュール式センサ８６を含む。一部の例では、モジュール式センサ８６は、モジュール式センサポート８８に挿抜されて、環境サンプリングセンサ２４の「挿抜」態様を可能にする。更に、かぶり物１２０は、一部の例では、出力デバイス２８に作動可能に関連付けられる。かぶり物１２０と共に実装される一部の例示的な出力デバイス２８は、作業者１４が自分の頭部１２２にかぶり物１２０を装着している時に作業者１４の耳の近位に配置される音響出力デバイス６２、かぶり物１２０内に埋めこまれた触覚出力デバイス６６、及び、コントローラ２６からの警報に応じて作業者１４に視覚的刺激を提示するよう構成された、光１２４などの視覚出力デバイス６４を含むが、それらを含むものに限定されるわけではない。
【００３８】
ここで再度図１を参照するに、ウェアラブルデバイス２０及び／又はコントローラ２６は、無線ネットワーク１３０を介して、システム１０の他の要素に接続される。無線ネットワーク１３０は、作業者１４を、数ある中でもとりわけ、自身のウェアラブルデバイス２０を有する他の任意の作業者１４に、ユーザ情報データベース１３２及びユーザ健康情報データベース１３４などの任意のデータベースに、及び、作業者キオスク１３６に、ウェアラブルデバイス２０を介して接続するよう構成される。作業者キオスク１３６は、ウェアラブルデバイス２０を介して、作業環境１２に入る作業者１４をチェックするよう構成され、かつ、無線ネットワーク１３０を介してデータを記憶し、伝送するよう構成される。
【００３９】
上述のように、作業環境１２は、多くの場合、同じ又は異なるタスクを実施している複数の作業者１４を含む。かかる例では、図７のシステム１０を用いる例示的な作業環境１２のように、複数の作業者１４ａ、１４ｂ、１４ｃが、無線ネットワーク１３０で、自身のウェアラブルデバイス２０ａ、２０ｂ、２０ｃそれぞれを介して接続される。ウェアラブルデバイス２０ａ、２０ｂ、２０ｃの各々は、詳細に上述したウェアラブルデバイス２０の教示に機能的に包含される。作業環境１２に複数の作業者１４がいるという状況では、各ウェアラブルデバイス２０が、他のウェアラブルデバイス２０に関連付けられた所在地情報を受信しうる。例えば、第２作業者１４ｂは第２ウェアラブルデバイス２０ｂを装着しており、第２ウェアラブルデバイス２０ｂが、第１ウェアラブルデバイス２０のコントローラ２６に所在地情報を提供する。無線ネットワーク１３０を介して第２ウェアラブルデバイス２０ｂからかかる所在地情報を受信し、それを利用することによって、第１ウェアラブルデバイス２０ａのコントローラ２６が、第２作業者１４ｂに関連付けられた所在地情報を確定する。加えて、コントローラ２６は、第２ウェアラブルデバイス２０ｂから、第２ウェアラブルデバイス２０ｂの環境サンプリングセンサ２４により確定された環境サンプリング情報を受信しうる。第２ウェアラブルデバイス２０ｂからの所在地情報及び環境サンプリング情報を利用することで、第１ウェアラブルデバイス２０ａのコントローラ２６は、第２作業者１４ｂに影響を与えている環境条件が、第１作業者１４ａへの支援警報の提示を要するものであるか否かを判定する。この支援警報は、第２作業者１４ｂに支援が必要であること（例えば、第２作業者１４ｂが動けない、第２作業者１４ｂが有害条件に接近しすぎている、など）を示す。
【００４０】
ここで図８を参照するに、作業環境に関連付けられた環境条件をモニタするための方法２００の、例示的なフロー図が示されている。方法２００について、システム１０の要素、及び、これらの要素それぞれの機能を参照して本書で説明している。しかし、方法２００は、もちろん、システム１０及びそれに含まれる要素を介して実装されるものに限定されるわけではない。
【００４１】
方法２００は、ブロック２１０〜２３０で始まる。ブロック２１０において、環境サンプリングセンサ２４は、一又は複数の環境条件をモニタし、前記モニタリングに基づいて、環境サンプリング情報を確定する。ブロック２２０において、所在地センサ（複数可）２２を使用して、作業者１４の所在地情報であって、作業環境１２に対する作業者１４の所在地についての情報を含む所在地情報が、確定される。オプションのブロック２３０において、方法２００は、一又は複数のユーザセンサ３０を使用して、作業者１４の健康情報を確定することを含む。追加的又は代替的には、一部の例では、健康情報がデータベースから提供される。
【００４２】
ブロック２４０において、コントローラ２６は、環境サンプリング情報、所在地情報、及びオプションの健康情報を受信する。受信した情報を使用することで、コントローラ２６は、ブロック２５０に示しているように、一又は複数の環境条件が、作業者１４への警報の提示を要するものであるか否かを判定する。一又は複数の環境条件が、作業者１４への警報の提示を要するものであると判定されると、次いで、ブロック２６０に示しているように、例えば一又は複数の出力デバイス２８を介して、作業者１４に警報が提供される。一部の例では、方法２００は、ブロック２７０に示しているように、例えば警報が受信されたことを知らせる、作業者１４からの、警報に応じる入力を受信することを更に含む。
【００４３】
図８のフロー図は、単に、開示されているシステム及び技法の特徴の開示を支援するための一例として示され、説明されていること、及び、開示されているシステムの上述の様々な特徴に対応するプロセスには、本開示の範囲を逸脱することなく、図示されているよりも多い又は少ない数のステップが含まれうることを、理解されたい。
【００４４】
図９は、図２に示している、システム１０のコントローラ２６を実装するために使用されうる例示的な要素の組み合わせを、概略的に図示している。例示的なコントローラ２６は、システム１０の機能を実現するための指令の実行、及び／又は、図８を参照して上述した方法２００を実施するための指令の実行が可能である。コントローラ２６は、例えば、サーバ、パソコン、又は他の任意の種類のコンピューティングデバイスでありうる。取り上げられている例のコントローラ２６は、プロセッサ２７を含む。例えば、プロセッサ２７は、任意の望ましい系列会社又は製造業者による、一又は複数のマイクロプロセッサ或いはコントローラによって実装されうる。
【００４５】
プロセッサ２７は、メモリ３６に関連付けられ、かつ、バス２２６を介して、読み取り専用メモリ２２２及びランダムアクセスメモリ２２４を含む他のメモリと通信可能である。ランダムアクセスメモリ２２４は、同期型ダイナミックランダムアクセスメモリ（ＳＤＲＡＭ）、ダイナミックランダムアクセスメモリ（ＤＲＡＭ）、ＲＡＭＢＵＳダイナミックランダムアクセスメモリ（ＲＤＲＡＭ）、及び／又は、他の任意の種類のランダムアクセスメモリデバイスによって、実装されうる。読み取りメモリ２２２は、ハードドライブ、フラッシュメモリ、及び／又は、他の任意の望ましい種類のメモリデバイスによって実装されうる。
【００４６】
一部の例では、コントローラ２６はインターフェース回路２２８を含む。インターフェース回路１２８は、例えばイーサネットインターフェース、ユニバーサルシリアルバス（ＵＳＢ）、及び／又は、ＰＣＩエクスプレスインターフェースなどの、任意の種類のインターフェース標準によって実装されうる。一又は複数の入力デバイス２２７は、インターフェース回路１２８に接続される。入力デバイス（複数可）２２７は、ユーザがデータ及びコマンドをプロセッサ２７に入力することを可能にする。入力デバイス（複数可）２２７は、例えば、キーボード、マウス、タッチスクリーン、トラックパッド、トラックボール、及び／又は音声認識システムによって、実装されうる。例えば、入力デバイス（複数可）２２７は、上述のように、警報に応じて入力データをコントローラ２６に接続するための、任意の有線デバイス又は無線デバイスを含みうる。
【００４７】
出力デバイス２２９も、インターフェース回路２２８に接続される。出力デバイス２２９は、上述のように、任意の例示的な出力デバイス（例えば出力デバイス（複数可）２８）によって実装される。
【００４８】
更に、一部の例では、コントローラ２６は、インターネット、ＷＬＡＮ、ＬＡＮ、パーソナルネットワーク、又は、コントローラ２６を一又は複数の他のコントローラ又はネットワーク対応デバイスに接続するための他の任意のネットワークといったネットワーク１３０に接続するための、一又は複数の無線トランシーバ３４を含む。そのため、コントローラ２６は、システム１０の様々な要素を制御するための複数のコントローラ２６によって、具現化されうる。
【００４９】
上述のように、コントローラ２６は、機械可読指令を実行するために使用されうる。例えば、コントローラ２６は、図８のブロック図に示している方法２００を実施するために、機械可読指令を実行する。かかる例では、機械可読指令は、例示的なコントローラ２６内に図示されているプロセッサ２７などのプロセッサによって実行される、プログラムを含む。このプログラムは、ＣＤ−ＲＯＭ、フロッピーディスク、ハードドライブ、デジタル多用途ディスク（ＤＶＤ）、ブルーレイディスク、又は、コントローラ２６に関連付けられたメモリなどの、有形のコンピュータ可読媒体上に記憶されたソフトウェアに内蔵されてよいが、代替的には、プログラムの全体及び／又は部分が、プロセッサ２７以外のデバイスによって実行されること、及び／或いは、ファームウェア又は専用ハードウェアに内蔵されることも可能である。更に、図８に示すフロー図を参照して例示的なプログラムが説明されているが、本開示の例を実装する他の多くの方法も、代替的に使用されうる。例えば、ブロックの実行順序は変更されてよく、かつ／又は、記載されているブロックの一部は変更されうるか、消去されうるか、又は組み合わされうる。
【００５０】
さらに、本開示は下記の条項による例を含む。
【００５１】
条項１．作業環境に関連付けられた一又は複数の環境条件をモニタするためのシステムであって、作業環境の中で作業者に装着されるよう、かつ、作業環境の中で作業者と共に移動するよう構成された、ウェアラブルデバイスと、ウェアラブルデバイスに作動可能に関連付けられた一又は複数の環境サンプリングセンサであって、各々が、作業環境に関連付けられた一又は複数の環境条件をモニタし、かつ、一又は複数の環境条件のモニタリングに基づいて、環境サンプリング情報を確定するよう構成された、環境サンプリングセンサと、ウェアラブルデバイスに作動可能に関連付けられ、かつ、作業者の所在地情報であって、作業環境に対する作業者の所在地についての情報を含む所在地情報を確定するよう構成された、所在地センサと、プロセッサを含むコントローラであって、一又は複数の環境サンプリングセンサから環境サンプリング情報を受信し、所在地センサから所在地情報を受信し、かつ、環境サンプリング情報及び所在地情報に基づいて、一又は複数の環境条件が作業者への警報の提示を要するものであるか否かを判定するよう構成された、コントローラとを備える、システム。
【００５２】
条項２．ウェアラブルデバイス及びコントローラに作動可能に関連付けられており、コントローラから出力信号を受信するよう、かつ、出力信号に基づいて作業者に通知を提示するよう構成された、一又は複数の出力デバイスを更に備え、コントローラは、一又は複数の環境条件が作業者への警報の提示を要するものである場合に、出力信号を生成するよう更に構成される、条項１に記載のシステム。
【００５３】
条項３．コントローラに作動可能に関連付けられ、かつ、作業者からの入力に基づいて入力信号を生成するよう構成された、一又は複数の入力デバイスを更に備え、コントローラが、出力信号に応じる入力信号を受信するよう更に構成される、条項２に記載のシステム。
【００５４】
条項４．一又は複数の出力デバイスが、視覚出力デバイス、音声出力デバイス、触覚出力デバイス、及びそれらの任意の組み合わせのうちの少なくとも１つを含み、通知が、視覚通知、音声通知、触覚通知、及びそれらの任意の組み合わせのうちの少なくとも１つを含む、条項２に記載のシステム。
【００５５】
条項５．一又は複数の環境サンプリングセンサのうちの少なくとも１つが、システムに追加され、システムから取り外されるよう構成されたモジュール式センサである、条項１から４のいずれか一項に記載のシステム。
【００５６】
条項６．第２所在地情報を確定するよう構成された第２所在地センサと、第２コントローラとに作動可能に関連付けられた第２ウェアラブルデバイスであって、作業環境の中で第２作業者に装着され、かつ、作業環境の中で第２作業者と共に移動するよう構成された、第２ウェアラブルデバイスと、ウェアラブルデバイス及び第２ウェアラブルデバイスをそれぞれ介して、作業者と第２作業者との間の通信を提供するよう構成され、かつ、ウェアラブルデバイスと第２ウェアラブルデバイスの一方に関連付けられた一又は複数の無線トランシーバを含む、無線ネットワークとを更に備えるシステムであって、コントローラが、第２所在地情報に基づいて第２作業者の所在地を確認するよう更に構成される、条項１から５のいずれか一項に記載のシステム。
【００５７】
条項７．第２ウェアラブルデバイスが、一又は複数の第２環境サンプリングセンサであって、各々が、第２作業者に関連する、作業環境に関連付けられた一又は複数の第２環境条件をモニタし、かつ、一又は複数の環境条件のモニタリングに基づいて第２環境サンプリング情報を確定するよう構成された、第２環境サンプリングセンサに、作動可能に更に関連付けられており、コントローラが、第２環境サンプリング情報及び第２所在地情報に基づいて、一又は複数の第２環境条件が、第２作業者に支援が必要であることを示す支援警報の作業者への提示を要するものであるか否かを判定するよう、更に構成される、条項６に記載のシステム。
【００５８】
条項８．ウェアラブルデバイスに作動可能に関連付けられ、かつ、作業者に関連付けられた健康情報を生成するよう構成された、一又は複数のユーザセンサを更に備え、コントローラは、健康情報に基づいて、一又は複数の環境条件が作業者への警報の提示を要するものであるか否かを判定するよう更に構成される、条項１から７のいずれか一項に記載のシステム。
【００５９】
条項９．ウェアラブルデバイスに作動可能に関連付けられ、かつ、作業者に関連付けられた健康情報を記憶するよう構成された、健康情報データベースを更に備え、コントローラは、健康情報に基づいて、一又は複数の環境条件が作業者への警報の提示を要するものであるか否かを判定するよう更に構成される、条項１から８のいずれか一項に記載のシステム。
【００６０】
条項１０．一又は複数の環境サンプリングセンサが、化学ベースの環境条件を検出するよう構成された化学センサを含み、コントローラが、化学センサから化学ベースの環境条件を受信し、かつ、化学ベースの環境条件及び所在地情報に基づいて、化学ベースの環境条件が作業者への警報の提示を要するものであるか否かを判定するよう構成される、条項１から９のいずれか一項に記載のシステム。
【００６１】
条項１１．一又は複数の環境サンプリングセンサが、電気的環境条件を検出するよう構成された電気センサを含み、コントローラが、電気センサから電気的環境条件を受信し、かつ、電気的環境条件及び所在地情報に基づいて、電気的環境条件が作業者への警報の提示を要するものであるか否かを判定するよう構成される、条項１から１０のいずれか一項に記載のシステム。
【００６２】
条項１２．一又は複数の環境サンプリングセンサが、高温ベースの環境条件を検出するよう構成された温度センサを含み、コントローラが、温度センサから高温ベースの環境条件を受信し、かつ、高温ベースの環境条件及び所在地情報に基づいて、高温ベースの環境条件が作業者への警報の提示を要するものであるか否かを判定するよう構成される、条項１から１１のいずれか一項に記載のシステム。
【００６３】
条項１３．一又は複数の環境サンプリングセンサが、放射線ベースの環境条件を検出するよう構成された放射線センサを含み、コントローラが、放射線センサから放射線ベースの環境条件を受信し、かつ、放射線ベースの環境条件及び所在地情報に基づいて、放射線ベースの環境条件が作業者への警報の提示を要するものであるか否かを判定するよう構成される、条項１から１２のいずれか一項に記載のシステム。
【００６４】
条項１４．作業環境に関連付けられた環境条件をモニタするためのウェアラブルデバイスであって、作業者に装着されるよう、かつ、作業者と共に移動するよう構成された装着可能物品と、装着可能物品に作動可能に関連付けられた一又は複数のモジュール式環境サンプリングセンサであって、各々が、作業環境に関連付けられた一又は複数の環境条件をモニタし、かつ、一又は複数の環境条件のモニタリングに基づいて、環境サンプリング情報を確定するよう構成された、モジュール式環境サンプリングセンサと、装着可能物品に作動可能に付加され、かつ、作業者の所在地情報であって、作業環境に対する作業者の所在地についての情報を含む所在地情報を確定するよう構成された、所在地センサと、装着可能物品に作動可能に関連付けられており、出力信号を受信するよう、かつ、この出力信号に基づいて作業者に通知を提示するよう構成された、一又は複数の出力デバイスと、プロセッサを含み、モジュール式環境サンプリングセンサ、所在地センサ、及び、一又は複数の出力デバイスに作動可能に関連付けられたコントローラであって、一又は複数のモジュール式環境サンプリングセンサから環境サンプリング情報を受信し、所在地センサから所在地情報を受信し、環境サンプリング情報及び所在地情報に基づいて、一又は複数の環境条件が作業者への警報の提示を要するものであるか否かを判定し、かつ、一又は複数の環境条件が作業者への警報の提示を要するものである場合に、一又は複数の出力デバイスに出力信号を提供するよう構成された、コントローラとを備える、ウェアラブルデバイス。
【００６５】
条項１５．装着可能物品は、作業者の腕に装着されるよう構成されたリストバンドである、条項１４に記載のウェアラブルデバイス。
【００６６】
条項１６．装着可能物品は、作業者の腕に装着されるよう構成されたモジュール式スリーブである、条項１５に記載のウェアラブルデバイス。
【００６７】
条項１７．装着可能物品は、作業者の中央部位に装着されるよう構成されたベルトである、条項１５に記載のウェアラブルデバイス。
【００６８】
条項１８．装着可能物品は、作業者の頭部に装着されるよう構成されたかぶり物である、条項１５に記載のウェアラブルデバイス。
【００６９】
条項１９．作業環境の中の作業者に関連する、作業環境に関連付けられた環境条件をモニタするための方法であって、一又は複数の環境サンプリングセンサであって、各々が、作業環境の中で作業者に装着されるよう構成されたウェアラブルデバイスに作動可能に関連付けられている、環境サンプリングセンサを使用して、一又は複数の環境条件をモニタすることと、一又は複数の環境サンプリングセンサを使用する一又は複数の環境条件のモニタリングに基づいて、環境サンプリング情報を確定することと、ウェアラブルデバイスに作動可能に関連付けられた所在地センサを使用して、作業者の所在地情報であって、作業環境に対する作業者の所在地についての情報を含む所在地情報を確定することと、プロセッサを有するコントローラによって、環境サンプリングセンサから環境サンプリング情報を受信することと、コントローラによって、所在地センサから所在地情報を受信することと、コントローラによって、環境サンプリング情報及び所在地情報に基づいて、一又は複数の環境条件が作業者への警報の提示を要するものであるか否かを判定することと、一又は複数の環境条件が作業者への警報の提示を要するものである場合に、作業者に警報を提供することとを含む、方法。
【００７０】
条項２０．一又は複数の第２環境サンプリングセンサであって、各々が、作業環境の中で第２作業者に装着されるよう構成された第２ウェアラブルデバイスに作動可能に関連付けられている、第２環境サンプリングセンサを使用して、第２作業者に関連する一又は複数の第２環境条件をモニタすることと、一又は複数の第２環境サンプリングセンサを使用する一又は複数の第２環境条件のモニタリングに基づいて、第２環境サンプリング情報を確定することと、第２ウェアラブルデバイスに作動可能に関連付けられた第２所在地センサを使用して、第２作業者の第２所在地情報であって、作業環境に対する第２作業者の所在地についての情報を含む第２所在地情報を確定することと、コントローラによって、第２環境サンプリング情報及び第２所在地情報に基づいて、一又は複数の第２環境条件が、第２作業者に支援が必要であることを示す支援警報の作業者への提示を要するものであるか否かを判定することと、一又は複数の第２環境条件が作業者への支援警報の提示を要するものである場合に、作業者に支援警報を提示することとを更に含む、条項１９に記載の方法。
【図１】
2018032377.tif 000003
【図２】
2018032377.tif 000004
【図３】
2018032377.tif 000005
【図４】
2018032377.tif 000006
【図５】
2018032377.tif 000007
【図６】
2018032377.tif 000008
【図７】
2018032377.tif 000009
【図８】
2018032377.tif 000010
【図９】
2018032377.tif 000011
【外国語明細書】
2018032377000001.pdf
2018032377000002.pdf
2018032377000003.pdf
2018032377000004.pdf